(57)【要約】【課題】本発明は、高輝度かつ高発色指数を有する温かみのある白色光ＬＥＤランプおよびＬＥＤモジュールを提供する。【解決手段】該高輝度かつ高発色指数を有する温かみのある白色光ＬＥＤランプは、駆動回路と、ホルダーカップ１１０を有するホルダー１００と、前記ホルダーカップ１１０に固定された波長が６００−６５０ｎｍである少なくとも１つのＬＥＤウエハー２０と、前記ホルダーのホルダーカップに固定された波長が３８０−４７０ｎｍである少なくとも１つのＬＥＤウエハー３０と、を具備し、前記波長が６００−６５０ｎｍであるＬＥＤウエハー２０及び波長が３８０−４７０ｎｍであるＬＥＤウエハー３０は、電極線によって駆動回路と接続し、前記波長が３８０−４７０ｎｍであるＬＥＤウエハー３０には、蛍光ゲルと透明なシリカゲルが塗装され、前記波長が６００−６５０ｎｍであるＬＥＤウエハー２０には、透明なシリカゲルが塗装されている。【選択図】図１
2012028652.tif 000002
【特許請求の範囲】
【請求項１】
駆動回路と、ホルダーカップを有するホルダーと、前記ホルダーカップに固定された波長が６００−６５０ｎｍである少なくとも１つのＬＥＤウエハーと、前記ホルダーのホルダーカップに固定された波長が３８０−４７０ｎｍである少なくとも１つのＬＥＤウエハーとを具備する高輝度かつ高発色指数を有する温かみのある白色光ＬＥＤランプにおいて、
前記波長が６００−６５０ｎｍであるＬＥＤウエハー及び波長が３８０−４７０ｎｍであるＬＥＤウエハーは、電極線によって駆動回路と接続し、前記波長が３８０−４７０ｎｍであるＬＥＤウエハーには、蛍光ゲルと透明なシリカゲルが塗装され、前記波長が６００−６５０ｎｍであるＬＥＤウエハーには、透明なシリカゲルが塗装されていることを特徴とする高輝度かつ高発色指数を有する温かみのある白色光ＬＥＤランプ。
【請求項２】
請求項１に記載の高輝度かつ高発色指数を有する温かみのある白色光ＬＥＤランプにおいて、前記波長が３８０−４７０ｎｍであるＬＥＤウエハーに、まず蛍光ゲルを塗ってから透明なシリカゲルを塗り、若しくは、まず透明なシリカゲルを塗ってから蛍光ゲルを塗ることを特徴とする高輝度かつ高発色指数を有する温かみのある白色光ＬＥＤランプ。
【請求項３】
請求項１または２に記載の高輝度かつ高発色指数を有する温かみのある白色光ＬＥＤランプにおいて、前記波長が６００−６５０ｎｍであるＬＥＤウエハーに、透明なシリカゲルのみを一層塗り、若しくは、まず透明なシリカゲルを塗ってから蛍光ゲルを塗り、若しくは、まず蛍光ゲルを塗ってから透明なシリカゲルを塗ることを特徴とする高輝度かつ高発色指数を有する温かみのある白色光ＬＥＤランプ。
【請求項４】
請求項１に記載の高輝度かつ高発色指数を有する温かみのある白色光ＬＥＤランプにおいて、前記波長が３８０−４７０ｎｍであるＬＥＤウエハー及び波長が６００−６５０ｎｍであるＬＥＤウエハーは、間隔的に前記ホルダーカップに設置され、若しくは、前記波長が３８０−４７０ｎｍであるＬＥＤウエハーは、ホルダーカップの中間に設置され、且つ前記波長が６００−６５０ｎｍであるＬＥＤウエハーは、前記波長が３８０−４７０ｎｍであるＬＥＤウエハーの周辺に設置されていることを特徴とする高輝度かつ高発色指数を有する温かみのある白色光ＬＥＤランプ。
【請求項５】
請求項１に記載の高輝度かつ高発色指数を有する温かみのある白色光ＬＥＤランプにおいて、前記ホルダーカップを有するホルダーは平板ホルダーによって代われることを特徴とする高輝度かつ高発色指数を有する温かみのある白色光ＬＥＤランプ。
【請求項６】
請求項１に記載の高輝度かつ高発色指数を有する温かみのある白色光ＬＥＤランプにおいて、前記蛍光ゲルは透明なシリカゲルと蛍光体の混合物であることを特徴とする高輝度かつ高発色指数を有する温かみのある白色光ＬＥＤランプ。
【請求項７】
請求項６に記載の高輝度かつ高発色指数を有する温かみのある白色光ＬＥＤランプにおいて、前記蛍光体は、黄色の粉末、橙色の粉末、赤色の粉末、緑色の粉末或いはＲＧＢの粉末であることを特徴とする高輝度かつ高発色指数を有する温かみのある白色光ＬＥＤランプ。
【請求項８】
駆動回路と、回路基板と、前記回路基板に固定された複数のＬＥＤとを具備し、前記複数のＬＥＤは、波長が６００−６５０ｎｍであるＬＥＤウエハー又は波長が３８０−４７０ｎｍであるＬＥＤウエハーをパッケージングして成す高輝度かつ高発色指数を有する温かみのある白色光ＬＥＤモジュールにおいて、
前記波長が６００−６５０ｎｍであるＬＥＤウエハーによってパッケージングされた赤光ＬＥＤ及び波長が３８０−４７０ｎｍであるＬＥＤウエハーによってパッケージングされた白色光ＬＥＤは、一定の配列方式に従って前記回路基板に均一的に分布され、導線によってＬＥＤピン又は内部チップを接続することを特徴とする高輝度かつ高発色指数を有する温かみのある白色光ＬＥＤモジュール。
【請求項９】
請求項８に記載の高輝度かつ高発色指数を有する温かみのある白色光ＬＥＤモジュールにおいて、前記波長が３８０−４７０ｎｍであるＬＥＤウエハーを用いてパッケージングした白色光ＬＥＤの色座標Ｘは０．３６−０．４１の間にあり、色座標Ｙは０．４１−０．４６の間にあり、色温度は３５００Ｋ−５０００Ｋの間にあることを特徴とする高輝度かつ高発色指数を有する温かみのある白色光ＬＥＤモジュール。
【発明の詳細な説明】
【技術分野】
【０００１】
本発明は半導体照明分野に関し、特に、高輝度かつ高発色指数を有する温かみのある白色光且つパワーが０．１Ｗ以上であるＬＥＤランプおよびＬＥＤモジュールに関する。
【背景技術】
【０００２】
半導体照明は、環境に優しくて、長寿命、省エネ、厳しい環境に抵抗でき、結構が簡単で、体積が小さい、重さが軽い、応答速度が速い、動作電圧が低いおよび安全性が高いなどの特徴を有するので、白熱灯と蛍光灯及び省エネランプ後の第４代の照明電光源とよばれ、または、二十一世紀の緑の光源に位置付けられている。
【０００３】
現在、市販の照明として使われている温かみのある白色光は、主に、波長が３８０−４７０ｎｍであるＬＥＤウエハーに赤い蛍光体を加えて作られたものであって、蛍光体はＬＥＤのホルダーカップに付けられ、従来技術において、正確に蛍光体の用量を制御し難い、大量の蛍光体を浪費し、製品のコストを増加させると同時に、大量に生産する時の一致性を制御できない。
【０００４】
現在、蛍光体生産技術の制限を受け、赤い蛍光体の光束が低すぎ、温かみのある白色光の光効率を低くさせ、発色指数もただ７０〜８０ぐらいにしかできなく、照明製品の要求に達成できにくくなっている状況である。
【発明の概要】
【発明が解決しようとする課題】
【０００５】
本発明は、高輝度かつ高発色指数を有する温かみのある白色光ＬＥＤランプおよびＬＥＤモジュールを提供して、従来のＬＥＤランプおよびＬＥＤモジュールにおける高コスト、低発色指数などの問題を解決することを目的とする。
【課題を解決するための手段】
【０００６】
本発明の技術課題を解決するのに採用する技術方案は、高輝度かつ高発色指数を有する温かみのある白色光ＬＥＤランプを提供することである。該高輝度かつ高発色指数を有する温かみのある白色光ＬＥＤランプは、駆動回路と、ホルダーカップを有するホルダーと、前記ホルダーカップに固定された波長が６００−６５０ｎｍである少なくとも１つのＬＥＤウエハーと、前記ホルダーのホルダーカップに固定された波長が３８０−４７０ｎｍである少なくとも１つのＬＥＤウエハーと、を具備し、前記波長が６００−６５０ｎｍであるＬＥＤウエハー及び波長が３８０−４７０ｎｍであるＬＥＤウエハーは、電極線によって駆動回路と接続し、前記波長が３８０−４７０ｎｍであるＬＥＤウエハーには、蛍光ゲルと透明なシリカゲルが塗装され、前記波長が６００−６５０ｎｍであるＬＥＤウエハーには、透明なシリカゲルが塗装されている。
【０００７】
上記技術方案の更なる改良案として、前記波長が３８０−４７０ｎｍであるＬＥＤウエハーに、まず蛍光ゲルを塗ってから透明なシリカゲルを塗り、若しくはまず透明なシリカゲルを塗ってから蛍光ゲルを塗る。
【０００８】
上記技術方案の更なる改良案として、前記波長が６００−６５０ｎｍであるＬＥＤウエハーに、ただ透明なシリカゲルを一層塗り、若しくはまず透明なシリカゲルを塗ってから蛍光ゲルを塗り、若しくはまず蛍光ゲルを塗ってから透明なシリカゲルを塗る。
【０００９】
上記技術方案の更なる改良案として、前記波長が３８０−４７０ｎｍであるＬＥＤウエハー及び波長が６００−６５０ｎｍであるＬＥＤウエハーは、間隔的に前記ホルダーカップに設置され、若しくは前記波長が３８０−４７０ｎｍであるＬＥＤウエハーは、ホルダーカップの中間に設置され、且つ前記波長が６００−６５０ｎｍであるＬＥＤウエハーは、前記波長が３８０−４７０ｎｍであるＬＥＤウエハーの周辺に設置されている。
上記技術方案の更なる改良案として、前記ホルダーカップを有するホルダーは平板ホルダーによって代われる。
上記技術方案の更なる改良案として、前記蛍光ゲルは透明なシリカゲルと蛍光体の混合物である。
上記技術方案の更なる改良案として、前記蛍光体は、黄色の粉末、橙色の粉末、赤色の粉末、緑色の粉末或いはＲＧＢの粉末である。
【００１０】
本発明の技術課題を解決するのに採用する他の技術方案は、高輝度かつ高発色指数を有する温かみのある白色光ＬＥＤモジュールを提供することである。該高輝度かつ高発色指数を有する温かみのある白色光ＬＥＤモジュールは、駆動回路と、回路基板と、前記回路基板に固定された複数のＬＥＤとを具備し、前記複数のＬＥＤは、波長が６００−６５０ｎｍであるＬＥＤウエハー又は波長が３８０−４７０ｎｍであるＬＥＤウエハーをパッケージングして成し、前記波長が６００−６５０ｎｍであるＬＥＤウエハーによってパッケージングされた赤光ＬＥＤ及び波長が３８０−４７０ｎｍであるＬＥＤウエハーによってパッケージングされたＬＥＤは、一定の配列方式に従って前記回路基板に均一的に分布され、導線によってＬＥＤピン又は内部チップを接続する。
【００１１】
上記技術方案の更なる改良案として、前記波長が３８０−４７０ｎｍであるＬＥＤウエハーを用いてパッケージングした白色光ＬＥＤの色座標Ｘは０．３６−０．４１の間にあり、色座標Ｙは０．４１−０．４６の間にあり、色温度は３５００Ｋ−５０００Ｋの間にある。
【発明の効果】
【００１２】
従来技術に比べて、本発明の高輝度かつ高発色指数を有する温かみのある白色光ＬＥＤランプおよびＬＥＤモジュールは以下の利点を有する。
【００１３】
１、ＬＥＤランプおよびＬＥＤモジュールの光効率を効果的に高めることができ、発色指数が９０より大きい場合、該ＬＥＤランプの光効率は９０ｌｍ／ｗ以上に達し、従来技術のＬＥＤランプおよびＬＥＤモジュールに比べて、少なくとも２５％向上させる。
２、本発明は結構設計が精巧で、０．１Ｗ及びその以上の中、高パワーのＬＥＤを製造することに用いられ、製品の信頼性、一致性を効果的に向上させると同時に、機器を利用して大量に生産することができて、生産効率を大きく向上させ、製品のコストを低下させることができる。
３、蛍光ゲルの用量を効果的に制御して、製品の光効率を増加させるだけでなく、製品のコストも効果的に節約することができる。
４、異なる接合剤インジェクション方式によってＬＥＤウエハーと蛍光ゲルを隔離して、ＬＥＤの光効率と発色指数を向上させると同時に、ＬＥＤが点灯後の輝度の減衰を減少して、ＬＥＤの使用寿命を向上させる要求に達することができる。
【図面の簡単な説明】
【００１４】
【図１】本発明の高輝度かつ高発色指数を有する温かみのある白色光ＬＥＤランプの第１の実施形態の略断面図である。
【図２】本発明の高輝度かつ高発色指数を有する温かみのある白色光ＬＥＤランプの第２の実施形態の略断面図である。
【図３】本発明の高輝度かつ高発色指数を有する温かみのある白色光ＬＥＤランプの第３の実施形態の略断面図である。
【図４】本発明の高輝度かつ高発色指数を有する温かみのある白色光ＬＥＤランプの第４の実施形態の略断面図である。
【図５】本発明の高輝度かつ高発色指数を有する温かみのある白色光ＬＥＤモジュールの第１の実施形態の俯瞰図である。
【図６】本発明の高輝度かつ高発色指数を有する温かみのある白色光ＬＥＤモジュールの第２の実施形態の俯瞰図である。
【発明を実施するための形態】
【００１５】
本発明の目的、技術内容及び利点をさらに明確させるために、以下に図面と実施例を結合して、本発明に対してさらに詳しく説明する。理解すべきことは、ここで記載された具体的な実施方式はただ本発明を解釈するのに用いられ、本発明を限定することとはならない。
【００１６】
図１に示すように、本発明の高輝度かつ高発色指数を有する温かみのある白色光ＬＥＤランプの第１の実施形態において、そのパワーは０．１Ｗ以上で、駆動回路（未図示）と、ホルダーカップ１１０を有するホルダー１００と、ＬＥＤウエハーと、ＬＥＤウエハーの上面に塗装された蛍光ゲル４０を含む。
【００１７】
該ホルダーカップ１１０は、倒れた「凸」字形を呈する。２つの波長が６００−６５０ｎｍであるＬＥＤウエハー２０（例えば赤色光或いは橙色光）は該ホルダー１００に固定して接続し、且つ該ホルダーカップ１１０の上部に設置され、該２つの波長が３８０−４７０ｎｍであるＬＥＤウエハー３０（例えば青色光）は該ホルダーカップ１１０の中間に設置され、且つ該２つの波長が６００−６５０ｎｍであるＬＥＤウエハー２０の下方に位置する。
【００１８】
該波長が６００−６５０ｎｍであるＬＥＤウエハー２０及び波長が３８０−４７０ｎｍであるＬＥＤウエハー３０は、電極線（未標記）によって駆動回路と接続し、ただ該波長が３８０−４７０ｎｍであるＬＥＤウエハー３０に蛍光ゲル４０を塗装し、且つただ波長が６００−６５０ｎｍであるＬＥＤウエハー２０或いはホルダー１００の整体に透明なシリカゲル５０を塗装し、該透明なシリカゲル５０は高い屈折率を具備して、ＬＥＤの光効率を効果的に向上させることができる。
該蛍光ゲル４０は透明なシリカゲル５０と蛍光体の混合物であり、前記蛍光体は黄色の粉末、橙色の粉末、赤色の粉末、緑色の粉末、ＲＧＢの粉末である。
【００１９】
図２に示すように、本発明の高輝度かつ高発色指数を有する温かみのある白色光ＬＥＤランプの第２の実施形態において、そのパワーは０．１Ｗ以上で、駆動回路（未図示）と、ホルダーカップ２１０を有するホルダー２００と、ＬＥＤウエハーと、ＬＥＤウエハーの上面に塗装された蛍光ゲル４０を含む。
【００２０】
該ホルダー２００のホルダーカップ２１０の中間には複数の間隔された溝が設置される。２つの波長が６００−６５０ｎｍであるＬＥＤウエハー２０は該ホルダー２００に固定して接続され、且つ該ホルダーカップ２１０の上部に設置され、該２つの波長が３８０−４７０ｎｍであるＬＥＤウエハー３０は対応する溝に設けられ、且つ該２つの波長が６００−６５０ｎｍであるＬＥＤウエハーと間隔して設置される。
【００２１】
該波長が６００−６５０ｎｍであるＬＥＤウエハー２０及び波長が３８０−４７０ｎｍであるＬＥＤウエハー３０は、電極線（未標記）によって駆動回路と接続し、ただ該波長が３８０−４７０ｎｍであるＬＥＤウエハー３０に蛍光ゲル４０を塗装し、且つただ波長が６００−６５０ｎｍであるＬＥＤウエハー２０或いはホルダー２００の整体に透明なシリカゲル５０を塗装し、該透明なシリカゲル５０は高い屈折率を具備して、ＬＥＤの光効率を効果的に向上させることができる。
【００２２】
図３に示すように、本発明の高輝度かつ高発色指数を有する温かみのある白色光ＬＥＤランプの第３の実施形態において、該高輝度かつ高発色指数を有する温かみのある白色光ＬＥＤランプは、駆動回路と、ホルダーカップ３１０を有するホルダー３００と、ＬＥＤウエハーと、ウエハーの上面に塗装された透明なシリカゲル５０を含む。
【００２３】
該ホルダーカップ３００のホルダーカップ３１０内に固定して接続された２つの波長が６００−６５０ｎｍであるＬＥＤウエハー２０と２つの波長が３８０−４７０ｎｍであるＬＥＤウエハー３０は、交替的に設置され、該波長が６００−６５０ｎｍであるＬＥＤウエハー２０と波長が３８０−４７０ｎｍであるＬＥＤウエハー３０は、電極線によって駆動回路と接続し、波長が６００−６５０ｎｍであるＬＥＤウエハー２０と波長が３８０−４７０ｎｍであるＬＥＤウエハー３０には、まず透明なシリカゲル５０を一層塗装してから、蛍光ゲル４０を一層塗装する。
【００２４】
該第３の実施形態は、透明なシリカゲル５０を介して蛍光ゲル４０とこの２つのウエハーを隔離して、ＬＥＤウエハーで産生した熱量が蛍光ゲルに対する影響を減少させ、ＬＥＤの使用寿命を効果的に増加させる。
【００２５】
図４に示すように、本発明の高輝度かつ高発色指数を有する温かみのある白色光ＬＥＤランプの第４の実施形態において、該ＬＥＤランプは駆動回路と、ホルダーカップ４１０を有するホルダー４００と、ＬＥＤウエハーと、ウエハーの上面に塗装された透明なシリカゲル４０を含む。
【００２６】
該ホルダー４００のホルダーカップ４１０内には、２つの波長が６００−６５０ｎｍであるＬＥＤウエハー２０と２つの波長が３８０−４７０ｎｍであるＬＥＤウエハー３０が配置され、且つ当該２つの種類のウエハーは交替的に設置される。
【００２７】
該波長が６００−６５０ｎｍであるＬＥＤウエハー２０と波長が３８０−４７０ｎｍであるＬＥＤウエハー３０は、電極線によって駆動回路と接続し、該波長が６００−６５０ｎｍであるＬＥＤウエハー２０と波長が３８０−４７０ｎｍであるＬＥＤウエハー３０の上には、まず蛍光ゲル４０を一層塗装してから、透明なシリカゲル５０を一層塗装する。本実施形態は、波長が６００−６５０ｎｍであるＬＥＤウエハー２０と波長が３８０−４７０ｎｍであるＬＥＤウエハー３０に、共に蛍光ゲル４０を一層塗装してから、透明なシリカゲル５０を一層塗装して、製品の光効率及び発色指数を向上させると同時に、光点を均一的にさせてから、出光効果がよい。
【００２８】
以上の四つの具体実施形態において、波長が６００−６５０ｎｍであるＬＥＤウエハーと波長が３８０−４７０ｎｍであるＬＥＤウエハーの数量比及び互いの位置を合理的に配分すると、赤色光又は橙色光のウエハーが発光する光と混ぜ合わせて、９０Ｌｍ／Ｗ以上の光効率に達することができ、発色指数も９０以上に達することができる。
【００２９】
また、赤色光ＬＥＤウエハーの輝度及び実際の需要に従って、ＬＥＤランプ上に塗装された蛍光ゲル及び透明なゲルを調整して、各種の異なる色温度の需要に達する。これ以外、上記実施形態において、ホルダーカップを有するホルダーは平板ホルダーによって代われることもできる。
【００３０】
図５に示すように、本発明の高輝度かつ高発色指数を有する温かみのある白色光ＬＥＤモジュールの第１の実施形態において、該モジュールは、駆動回路と、回路基板１４と、回路基板１４に固定された複数の波長が６００−６５０ｎｍであるウエハーをパッケージングして成す赤色光ＬＥＤと、回路基板１４に固定された波長が３８０−４７０ｎｍであるウエハーをパッケージングして成す白色光ＬＥＤとを含む。
【００３１】
前記波長が６００−６５０ｎｍであるＬＥＤウエハーによってパッケージングされた赤光ＬＥＤ及び波長が３８０−４７０ｎｍであるＬＥＤウエハーによってパッケージングされた白色光ＬＥＤは、導線によって内部チップを接続する。
【００３２】
図６に示すように、本発明の高輝度かつ高発色指数を有する温かみのある白色光ＬＥＤモジュールの第２の実施形態において、該モジュールは、駆動回路と、回路基板１４と、回路基板１４に固定された複数の波長が６００−６５０ｎｍであるウエハーをパッケージングして成す赤色光ＬＥＤと、回路基板１４に固定された波長が３８０−４７０ｎｍであるウエハーをパッケージングして成す白色光ＬＥＤとを含む。
【００３３】
前記波長が６００−６５０ｎｍであるＬＥＤウエハーによってパッケージングされた赤光ＬＥＤ及び波長が３８０−４７０ｎｍであるＬＥＤウエハーによってパッケージングされた白色光ＬＥＤは、導線によってＬＥＤピンを接続する。その中で、３つの白色光ＬＥＤ４２は均一的に回路基板１４の中央に設置され、５つの白色光ＬＥＤ４２と４つの赤色光又は橙色光ＬＥＤ４１は間隔して３つの白色光ＬＥＤ４２の円形周辺に均一的に分布される。
【００３４】
本発明の温かみのある白色光ＬＥＤモジュールにおいて、赤色光或いは橙色光ＬＥＤ４１と白色光ＬＥＤ４２の配列の枚数を調節することによって、異なる輝度と異なる色温度を取得される。例えば、２枚の赤色光或いは橙色光ＬＥＤ４１と４枚の白色光ＬＥＤ４２の色温度は２５００Ｋに達する。１枚の赤色光或いは橙色光ＬＥＤ４１と４枚の白色光ＬＥＤ４２の色温度は３０００Ｋに達する。上記のように、配列の組み合わせにより、異なる照明効果を取得することができる。
本発明の高輝度かつ高発色指数を有する温かみのある白色光ＬＥＤランプおよびＬＥＤモジュールは以下の利点を有する。
【００３５】
１、ＬＥＤランプおよびＬＥＤモジュールの光効率を効果的に高めることができ、発色指数が９０より大きい場合、該ＬＥＤランプの光効率は９０ｌｍ／ｗ以上に達し、従来技術のＬＥＤランプおよびＬＥＤモジュールに比べて、少なくとも２５％向上させる。
２、本発明は結構設計が精巧で、０．１Ｗ及びその以上の中、高パワーのＬＥＤを製造することに用いられ、製品の信頼性、一致性を効果的に向上させると同時に、機器を利用して大量に生産することができて、生産効率を大きく向上させ、製品のコストを低下させることができる。
３、蛍光ゲルの用量を効果的に制御して、製品の光効率を増加させるだけでなく、製品のコストも効果的に節約することができる。
４、異なる接合剤インジェクション方式によってＬＥＤウエハーと蛍光ゲルを隔離して、ＬＥＤの光効率と発色指数を向上させると同時に、ＬＥＤが点灯後の輝度の減衰を減少して、ＬＥＤの使用寿命を向上させる要求に達することができる。
【００３６】
上記した説明は、単なる本発明の優先的な実施形態に過ぎず、本発明を限定することではない。本発明の思想と原則内で作られた如何なる修正、等価置換及び改進などは、全て本発明の保護範囲内に含まれるべきである。
【図１】
2012028652.tif 000003
【図２】
2012028652.tif 000004
【図３】
2012028652.tif 000005
【図４】
2012028652.tif 000006
【図５】
2012028652.tif 000007
【図６】
2012028652.tif 000008